(57)【要約】      （修正有）【課題】衝撃伝達用具としてのハンドグリップまたはスポーツ用グリップを提供する。【解決手段】ゴルフクラブのグリップ用の重り付きの端部キャップ３０は、管状部分に連結される端片部３４及び内側端部３２を有する。端片部３４は、ゴルフクラブのグリップの重心位置を移動させるための重り要素３８を有する。【選択図】図３
2014207972.tif 000002
【特許請求の範囲】
【請求項１】
ゴルフクラブのシャフトを受けるように構成されたエラストマー材料で形成された管状部分を含み、
前記管状部分は、前記ゴルフクラブのシャフトを受けるように構成されている一端部の方向において徐々に減少する直径を有し、前記管状部分は、前記ゴルフクラブのシャフトを受けるための前記一端部に対する前記管状部分の反対端部において、端部キャップを受けるように構成されており、かつ、
前記端部キャップは、前記管状部分に結合するための内部端部，及び，端片部を有し、
前記端片部は、その先端部に配置された重り要素を有することを特徴とするゴルフクラブの重り付きグリップ。
【請求項２】
前記重り要素は、金属要素を含むことを特徴とする請求項１に記載のゴルフクラブの重り付きグリップ。
【請求項３】
前記端部キャップの前記端片部は、さらに、その先端部に環状のキャビティを含み、かつ、前記重り要素は、前記キャビティ内に配置されることを特徴とする請求項１に記載のゴルフクラブの重り付きグリップ。
【請求項４】
前記重り要素は、およそ５グラムからおよそ２０グラムの範囲の重量を有することを特徴とする請求項１に記載のゴルフクラブの重り付きグリップ。
【請求項５】
ゴルフクラブのシャフトを受けるように構成されたエラストマー材料で形成された管状部分を含み、
前記管状部分は、前記ゴルフクラブのシャフトを受けるように構成されている一端部の方向において徐々に減少する直径を有し、前記管状部分は、前記ゴルフクラブのシャフトを受けるための前記一端部に対する前記管状部分の反対端部において、端部キャップを受けるように構成されており、かつ、
前記端部キャップは、前記端片部に切欠部を有し、前記切欠部内に重り要素が配置されることを特徴とするゴルフクラブの重り付きグリップ。
【請求項６】
前記端部キャップ内の前記切欠部は、前記重り要素に対して選択された深さのＵ字形を有することを特徴とする請求項５に記載のゴルフクラブの重り付きグリップ。
【請求項７】
前記端部キャップ内の前記切欠部は、選択された幅と深さを有する環状溝を含むことを特徴とする請求項５に記載のゴルフクラブの重り付きグリップ。
【請求項８】
前記重り要素は、高比重のエラストマー材料を含むことを特徴とする請求項５に記載のゴルフクラブの重り付きグリップ。
【請求項９】
前記重り要素は、高比重のエラストマー材料を含むことを特徴とする請求項６に記載のゴルフクラブの重り付きグリップ。
【請求項１０】
前記重り要素は、高比重のエラストマー材料を含むことを特徴とする請求項７に記載のゴルフクラブの重り付きグリップ。
【請求項１１】
ゴルフクラブのシャフトを受けるように構成された第１エラストマー材料で形成された管状部分を含み、
前記管状部分は、前記ゴルフクラブのシャフトを受けるように構成されている一端部の方向において徐々に減少する直径を有し、前記管状部分は、前記ゴルフクラブのシャフトを受けるための前記一端部に対する前記管状部分の反対端部において、端部キャップを受けるように構成されており、かつ、
前記端部キャップは、第２エラストマー材料で形成され、前記管状部分に結合するための内側端部，及び，端片部を有し、
前記端部キャップに重りを付加して前記グリップの重心位置を前記端部キャップのほうへシフトさせるために、前記第２エラストマー材料は、前記第１エラストマー材料より高比重であることを特徴とするゴルフクラブの重り付きグリップ。
【請求項１２】
前記重り要素は、タングステンの重りであることを特徴とする請求項１に記載のゴルフクラブの重り付きグリップ。
【請求項１３】
前記重り要素は、タングステンの重りを含むことを特徴とする請求項３に記載のゴルフクラブの重り付きグリップ。
【発明の詳細な説明】
【技術分野】
【０００１】
本発明における開示は、概して、衝撃伝達用具としてのハンドグリップまたはスポーツ用グリップに関するものであり、さらに具体的には、新型の改良された、端部に重り付きのゴルフクラブに関するものである。
【背景技術】
【０００２】
今日の市場において、多種多様な用具に使用可能な多くの型のグリップが存在する。これらの用具は、ハンマーの取っ手または他のハンドツールからテニス，スカッシュ，またはラケットボールのラケット，またはゴルフクラブのようなスポーツ用具に及ぶことができる。本発明は、ゴルフクラブのグリップとして特に適しており、また、それに関連して説明されている一方で、本発明がゴルフクラブだけに限定されることを意図しておらず、また、衝撃伝達用具としてのあらゆるスポーツのグリップまたはハンドグリップに及ぶことは、すぐに明らかとなるはずである。
【０００３】
もともと、ゴルフクラブのグリップは、取っ手の周りを革で覆うことにより構成されていた。後に、成形されたゴム製のグリップが使用可能になり、今もなお広く使用されている。この成形されたゴム製のグリップにおける最近の進歩は、より柔らかい手触りのために、ゴム製のスリーブ，（すなわち），アンダーリスティング（underlisting；グリップの芯となる部分）の周りに、革または合成皮革が螺旋状に巻き付けられたものを取っ手に使用する構想である。今日において、グリップは、多種多様な材料の組み合わせから作られている。
【０００４】
より効率的なスイングコントロールのためのスイングコントロール能力を提供することが可能な衝撃伝達用具に，または，この衝撃伝達用具から、衝撃または力を与えるか，または，受けるように、改良されたグリップへの要求が未だに存在する。このようなグリップは、優れた衝撃吸収性だけでなく、クラブ自体の回転トルクに対して優れた抵抗があり、スイング時の滑りがほとんどまたは全くない安定した握りを提供すべきである。それに加えて、スイング時に用具をより効率的に操作するための用具のスイングウェイトコントロールを改善すべきである。このようなスイングウェイトコントロール，取っ手の剛性，柔軟な操作性，及び，衝撃吸収は、用具からの衝撃を改善することにおいて、まさに重要な因子の一部となる。
【０００５】
従って、所与の適用におけるユーザーのニーズに合わせるために、衝撃伝達用具または工具の取っ手またはシャフトに対して、ぴったりと合う手触りとなるように、ユーザーが選択することを可能にする重り付きのグリップを有することが望ましい。
【発明の概要】
【０００６】
本開示は、ゴルファーのスイング時の安定性と操作性を改善するために、グリップの重心位置をグリップの後端部のほうへシフトさせることを可能にする、ゴルフクラブのグリップ用の改良された重り付き端部キャップを説明するものである。
【０００７】
本発明における１つの例示的な実施形態における、ゴルフクラブの重り付きグリップは、ゴルフクラブのシャフトを受けるように構成されたエラストマー材料で形成された管状部分を含み、前記管状部分は、前記ゴルフクラブのシャフトを受けるように構成されている一端部の方向において徐々に減少する直径を有し、前記管状部分は、前記ゴルフクラブのシャフトを受けるための前記一端部に対する前記管状部分の反対端部において、端部キャップを受けるように構成されており、かつ、前記端部キャップは、前記管状部分に結合するための内部端部，及び，端片部を有し、前記端片部は、その先端部に配置された重り要素を有することを特徴とする。
本発明における他の実施形態における、ゴルフクラブの重り付きグリップは、ゴルフクラブのシャフトを受けるように構成されたエラストマー材料で形成された管状部分を含み、前記管状部分は、前記ゴルフクラブのシャフトを受けるように構成されている一端部の方向において徐々に減少する直径を有し、前記管状部分は、前記ゴルフクラブのシャフトを受けるための前記一端部に対する前記管状部分の反対端部において、端部キャップを受けるように構成されており、かつ、前記端部キャップは、前記端片部に切欠部を有し、前記切欠部内に重り要素が配置されることを特徴とする。
【０００８】
本開示を特徴付ける様々な新規の特徴が、添付された請求の範囲内の特殊性を伴って示され、また、本開示の一部分を形成している。本開示を用いることによって得られる操作性における利点をより理解するために、本明細書は、添付図面及び説明事項に合わせて作られている。
【図面の簡単な説明】
【０００９】
【図１】図１は、ゴルフクラブの上昇斜視図である。
【図２】図２は、明瞭さのために省略されているキャップを備えた本開示に従ったグリップ用の中空の管状体の斜視図である。
【図３】図３は、本開示における一実施形態に従った、改良された端部キャップの部分断面図である。
【図４】図４は、本開示における他の実施形態に従った、改良された端部キャップの部分断面図である。
【図５】図５は、本開示における他の実施形態に従った、改良された端部キャップの部分断面図である。
【図６】図６は、本開示における他の実施形態に従った、改良された端部キャップの部分断面図である。
【図７】図７は、本開示における他の実施形態に従った、改良された端部キャップの部分断面図である。
【図８】図８は、本開示における一実施形態に従った、端部キャップの上昇斜視図である。
【図９】図９は、本開示における一実施形態に従った、ゴルフクラブのグリップの管状部分の上端部の部分断面図である。
【図１０】図１０は、本開示における一実施形態に従った、ゴルフクラブのグリップの管状部分の部分断面図である。
【発明を実施するための形態】
【００１０】
本開示を限定することを意図しておらず、また、いくつかの図にわたって同一の参照番号が同一または同類の特性を示している添付図面を参照すると、まず特に図１において、概して参照番号１０としてゴルフクラブが示されている。ゴルフクラブ１０は、グリップ１２，シャフトまたは取っ手１４，及び，クラブヘッド１６を含み、また、このクラブ１０は、衝撃伝達用具の一例である。
【００１１】
本明細書において用いられる、この“衝撃伝達用具”という用語は、対象物または用具に打撃を加えるか，衝撃を与えるか，または力を加えるため、または、反対に、用具からの衝撃または力を受けるために、用いられるスポーツ用具及び工具を含むことが意図されている。テニスラケット，スカッシュラケット，ラケットボールのラケット，ラクロスのグリップ，釣り竿の取っ手，自転車のハンドル，オートバイのハンドル，及び，野球のバットのグリップは、この“衝撃伝達用具”という用語に含まれることが意図されたほんの少しの例にすぎない。当然のことながら、本開示の範囲内で想定可能な、さらに開発され得る、多くの他のものや、可能な限りのさらなるスポーツアイテムも存在する。“衝撃伝達用具”という用語は、さらに、ハンマーの取っ手またはねじ回しの取っ手のような工具の取っ手を含むが、これらに限定されないことが意図されている。
【００１２】
図１に戻ると、ゴルフクラブ１０のグリップ１２は、スリップオン式のゴルフクラブのグリップとして当業者に知られているものである。本明細書において用いられる、この“スリップオン式”という用語は、取っ手またはシャフト１４に滑り込ませて固定されるように構成されているグリップを指すことが意図されている。グリップは、接着剤，テープ，またはこれらの併用によって、ゴルフクラブのシャフトまたは取っ手に滑り込ませて固定される。この方法は、当業者に周知であり、ここではこれ以上の説明をしない。スリップオン式のゴルフクラブのグリップが、製造業で広く用いられている多くの形状，構造，及び材料で使用可能であることは、当業者に公知である。
【００１３】
最新のゴルフクラブのグリップは、ゴム化合物，熱可塑性材料又はゴムのようなエラストマー材料，若しくは，熱可塑性プラスチック材料で作られており、また、そこにファイバーまたはコードを組み込むことを含むことができる。本開示は、特に、ゴルフクラブのグリップとして用いることに適しており、また、その目的で記述されているが、前述のように、本開示は、単にゴルフクラブのグリップに限定されることを意図しておらず、衝撃伝達用具として多くの他のタイプのハンドグリップに用いられてよい。
【００１４】
次に図２を参照すると、グリップの本体を形成している中空の管状部分すなわちボディ部分２０が示されている。一端部２２が、シャフトすなわち取っ手１４の端部に嵌る大きさに形成されている。管状部分２０の他端部２４は、端部キャップ３０に連結できるように構成されている。図２において見られるように、管状部分２０は、スイングする類のゴルフクラブのグリップの典型であるような、シャフト１４の方向において徐々に減少する直径を有する。端部キャップ３０は、多くの異なる方法で管状部分２０に取り付け，または，連結されてもよい。管状部分２０の他端部２４は、図８において見られるような一実施形態における、端部キャップ３０を受けて、図９において見られるような、ねじ部３１にかみ合わせるためのねじ部２８を備えたテーパ状の凹部２６を有してもよい。
【００１５】
端部キャップ３０は、図８及び９に示されているようなねじ結合以外の多くの他の異なる方法で管状部分２０に取り付けられてもよい。いかにして端部キャップ３０が管状部分２０に連結または取り付けられるかの他の例は、当業者に公知なように、限定はしないが、接着剤を用いた、あるいは、用いない締りばめ型の結合，または，接着剤のみによる取付，あるいは、管状部分２０へのより一般的な結合すなわちモールドされること，または，管状部分２０に一体成型されることも含む。ゴルフクラブのグリップの管状部分２０は、ゴム化合物，熱可塑性材料又はゴムのようなエラストマー材料，熱可塑性プラスチック材料，または，他種のエラストマー材料から作られ、また、ファイバーまたはコードを組み込むことを含むことができる。
【００１６】
端部キャップ３０は、ゴルフクラブのグリップの端部に対する内側端部３２及び端片部３４を有する。端片部３４は、端部キャップ３０の頭部を形成する。端部キャップ３０の下部すなわち最も内側の部分としてここでは言及される内側端部３２は、グリップの管状部分２０に連結される部分である。端部キャップ３０の内側端部３２は、取り付けのために、管状部分２０の形状に適合する典型的な円筒状の形状をしている。端部キャップ３０及び内側端部３２は、管状部分２０への取り付けを可能にする他の形状を有してもよいことが明らかであるはずである。端片部３４は、大抵、ほぼ円筒状の形状であるが、これに限定されず、楕円形，六角形，八角形，四角形，または，その他の形状を有してもよい。
【００１７】
ここで図３を参照すると、端部キャップ３０の最端部である端部キャップ３０の先端部３６，つまり，グリップ１２の最外端部分は、例えばこの実施形態においてはタングステンのような重量を持つ金属で構成された重り要素３８を含み、また、この重り要素３８は、端部キャップ３０の先端部３６の外面上に戦略的に配置されている。重り要素３８は、さらに、高比重のエラストマーまたは他の類似した材料から構成されてもよい。重り要素３８は、図３に示されているように、端部キャップ３０の端片部３４の一部分であり、あるいは、全体に及んでもよい。
【００１８】
重り要素３８は、好ましくは、ゴルフクラブのグリップの重量とユーザーに応じて、端片部３４のほうへグリップ１２の重心位置をシフトさせるために、およそ５グラムからおよそ２０グラムの範囲で選択される重量を有する。これより、ゴルファーが安定してスイングすることを促進し、また、高い操作性を有するスイング性能を提供する。端部キャップ３０の重り要素３８において異なる重量を選択することは、ゴルフクラブの設計者が、クラブヘッド１６及びシャフト１４の重量を変更することでゴルフクラブのスイングウェイトを調節するだけでなく、ゴルフクラブのグリップの重量が、ゴルフクラブの設計に同様に用いられることを可能にする。
【００１９】
ゴルフクラブのグリップが交換される（re-gripped）場合、さらに、ユーザーが、重り付きのグリップを変更または交換して、その時において、また、用いるクラブに対して、ユーザーにとって最適な重り付きのゴルフクラブグリップを選択することを可能にする。重り要素３８は、接着剤，留め具，または同じような方法を手段として、端部キャップ３０の端片部３４に取り付けられる。あるいは、図４において見られるように、重り要素３８は、端部キャップ３０の先端部３６における環状キャビティ４０内に成形されてもよい。
【００２０】
図５から７は、本開示における重り付きのゴルフクラブグリップの他の実施形態が描写されている。図５においては、端部キャップ３０の端片部３４において形成されたＵ字形の切欠部４２が存在する。重り要素３８がこの切欠部４２内に配置される。先述の通り、この実施形態における重り要素３８は、高比重のゴム材料から構成されてもよく、また、重り付きのゴルフクラブのグリップを組み上げるときは、端部キャップ３０を管状部分２０に取り付ける前に、重り要素３８が切欠部４２に挿入される。
【００２１】
図６において示されている実施形態は、端部キャップ３０の端片部３４を形成する重り要素３８が描写されている。前述のように、重り要素３８は、あらゆる適切な手段によって取り付けられ、また、金属製または弾性のある重り要素から製造されてもよい。
【００２２】
図７は、本開示におけるさらなる他の実施形態が示されている。この実施形態における環状切欠部４４は、先端部３６に隣接して配置されている。重り要素３８は、環状切欠部４４内に配置され、また、前述同様に、金属製または弾性のある重り要素から製造されてもよい。
【００２３】
図１０において描写されている管状部分２０は、デュロメータ値の変化をもたらす構造で、ゴム，エラストマー材料，または熱可塑性材料，または，これらの材料の組合せから成る１つ以上の層を含むことができる。好ましくは、管状部分２０は、軽量設計である材料から作られ、重り付きの端部キャップ３０を生かし、そして、クラブの他端部２４側へグリップ１２の重心位置をシフトさせることを可能にする。デュロメータ値及び規格は、ゴム，プラスチック，及び他の非金属材料の硬度測定の国際標準である。デュロメータ値及び規格は、米国材料試験協会規格ASTM D2240に記述されている。
【００２４】
例えば、一実施形態において、シャフト１４に確実に取り付けられる管状部分２０の内面２５は、およそ２５からおよそ５０のショアＡ硬度（Shore A hardness）の範囲の硬度を有する。管状部分２０の外面２７は、好ましくは、およそ２５からおよそ９０のショアＡ硬度の範囲のデュロメータ値、または、優れた摩擦特性を備えた外面のグリップ感，及び，より硬い内部と一体になった手触り感を提供するためのあらゆる値の組み合わせを有することができる。
【００２５】
グリップを交換することは、ゴルフ産業においては非常にありふれたことであり、また、ゴルフクラブのグリップを交換する手順は、周知である。本開示における重り付きの端部キャップ３０及び管状部分２０は、ユーザーが所与の適用において最適な重量と重心位置を選択することを可能にする。重量を増やすかまたは減らすための端部キャップ３０を取り除いて交換する機能は、管状部分２０がシャフト１４に固定された後でさえ、容易に調整することを可能にする。この融通性は、ユーザーが自身の感覚に合わせて用具を調整することを可能にする。
【００２６】
管状部分２０は、グリップを交換するための既知の方法でシャフト１４に有利に取り付けられることが可能であり、あるいは、端部キャップ３０及び管状部分２０は、単一のグリップとして、まずシャフト１４に取り付けられ、その後、必要に応じて、端部キャップ３０が交換されてもよい。グリップに対して適切な感覚を得られない場合、ユーザーは、グリップがシャフトに取り付けられた後でさえ、キャップを交換する選択肢を有する。
【００２７】
結果として、本発明は、ゴルフクラブの在庫数を大いに減らし、また、これと同様に、製造コストを大いに削減する。
【００２８】
本開示における原理の適用を説明するために、本発明における具体的な複数の実施形態が、示され、詳細に記載されている一方で、当然のことながら、本開示は、この原理から離れることなしに別の方法で具現化されることが可能である。
【図１】
2014207972.tif 000003
【図２】
2014207972.tif 000004
【図３】
2014207972.tif 000005
【図４】
2014207972.tif 000006
【図５】
2014207972.tif 000007
【図６】
2014207972.tif 000008
【図７】
2014207972.tif 000009
【図８】
2014207972.tif 000010
【図９】
2014207972.tif 000011
【図１０】
2014207972.tif 000012
【外国語明細書】
2014207972.tif 000013
2014207972.tif 000014
2014207972.tif 000015
2014207972.tif 000016
2014207972.tif 000017
2014207972.tif 000018
2014207972.tif 000019
2014207972.tif 000020
2014207972.tif 000021
2014207972.tif 000022
2014207972.tif 000023
2014207972.tif 000024
2014207972.tif 000025
2014207972.tif 000026
2014207972.tif 000027
2014207972.tif 000028